(57)【要約】      （修正有）【課題】教材に関連付けられたコンテンツを再生又は表示する順番を適切に設定することが可能な電子ペンシステム及びプログラムを提供する。【解決手段】コンピュータ装置は、コンテンツが関連付けられた教科書２の関連付けエリアに関する関連付けエリア情報を記憶する。そして、コンピュータ装置は、電子ペン１から受信した記入情報に基づき、関連付けエリアが複数設けられた教科書２の見開き頁において、関連付けエリアに関連付けられたコンテンツの再生又は表示の順番を設定する。【選択図】図９
2013182122.tif 000002
【特許請求の範囲】
【請求項１】
コード化パターンが印刷された教材と、
コンピュータ装置と、
コード化パターンを読み取ってペン先部の位置座標またはコード値を演算し、当該位置座標またはコード値を含む記入情報を前記コンピュータ装置に送信する電子ペンと、
を備える電子ペンシステムにおいて、
前記コンピュータ装置は、
コンテンツと関連付けられた前記教材の関連付けエリアの情報を記憶する記憶手段と、
前記電子ペンから受信した記入情報に基づき、前記関連付けエリアが複数設けられた前記教材の頁又は見開き頁における当該関連付けエリアに関連付けられた前記コンテンツの再生又は表示の順番を設定する再生順番設定手段と、
を有することを特徴とする電子ペンシステム。
【請求項２】
前記再生順番設定手段は、前記記入情報に基づき、前記関連付けエリアが前記電子ペンにより選択された選択順を認識し、当該選択順に基づき、前記再生又は表示の順番を定めることを特徴とする請求項１に記載の電子ペンシステム。
【請求項３】
前記教材又はコード化パターンが印刷された用紙には、前記再生又は表示の順番を定める処理を開始するための順番設定用アイコンが設けられ、
前記再生順番設定手段は、前記順番設定用アイコンが前記電子ペンにより選択された後に前記関連付けエリアが前記電子ペンにより選択された前記選択順を認識することを特徴とする請求項２に記載の電子ペンシステム。
【請求項４】
前記教材又はコード化パターンが印刷された用紙には、前記再生順番設定手段が設定した前記再生又は表示の順番に基づき前記コンテンツを再生又は表示させるための再生用アイコンが設けられ、
前記コンピュータ装置は、
前記再生用アイコンが前記電子ペンにより選択されたことを検知する度に、再生又は表示すべき順番にあたる前記コンテンツの再生又は表示を行う再生制御手段をさらに有することを特徴とする請求項１乃至３のいずれか一項に記載の電子ペンシステム。
【請求項５】
前記コンピュータ装置は、
前記教材を電子化した電子教材を表示手段に表示させる表示制御手段を有し、
前記表示制御手段は、前記再生又は表示の順番が設定されたコンテンツに対応する前記電子教材の前記関連付けエリアを前記表示手段に表示させる場合、当該関連付けエリアと対応させて前記コンテンツの前記再生又は表示の順番の表示を付すことを特徴とする請求項１乃至４のいずれか一項に記載の電子ペンシステム。
【請求項６】
前記コンピュータ装置は、
前記教材を電子化した電子教材を表示手段に表示させる表示制御手段を有し、
前記表示制御手段は、前記電子教材の前記関連付けエリアを前記表示手段に表示させる場合、当該関連付けエリアを対応するコンテンツの種類ごとに色分けして前記表示手段に表示させることを特徴とする請求項１乃至５のいずれか一項に記載の電子ペンシステム。
【請求項７】
前記コンピュータ装置は、
前記教材を電子化した電子教材を表示手段に表示させると共に、前記記入情報に基づき、前記電子ペンにより前記教材に記入された筆跡に基づくストロークを前記電子教材に描画する表示制御手段を備え、
前記表示制御手段は、前記コンテンツが再生中又は表示中であっても、前記記入情報に基づき、前記電子ペンにより前記教材に記入された筆跡に基づくストロークを前記電子教材に描画することを特徴とする請求項１乃至６のいずれか一項に記載の電子ペンシステム。
【請求項８】
コード化パターンが表面に付されたスクリーンと、
前記コンピュータ装置から送信される画像信号に基づく光を前記スクリーンの表面に出射するプロジェクタと、をさらに備え、
前記コンピュータ装置は、
前記再生順番設定手段が設定した前記再生又は表示の順番に基づき前記コンテンツを再生又は表示させるための再生用アイコンを、前記プロジェクタにより前記スクリーンに投影表示させる表示制御手段と、
投影表示された前記再生用アイコンが選択された場合、再生又は表示すべき順番にあたる前記コンテンツの再生又は表示を行う再生制御手段をさらに有することを特徴とする請求項１乃至７のいずれか一項に記載の電子ペンシステム。
【請求項９】
前記教材は、頁又は見開き頁ごとに、当該教材の内容を表示する内容表示領域と、前記電子ペンにより選択された場合に、所定の機能を実現するアイコンが複数設けられた操作領域とを備えることを特徴とする請求項１乃至８のいずれか一項に記載の電子ペンシステム。
【請求項１０】
請求項１乃至８のいずれか一項に記載のコンピュータ装置として機能させることを特徴とするプログラム。
【発明の詳細な説明】
【技術分野】
【０００１】
本発明は、電子ペンで読み取り可能なコード化パターンを利用した技術に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報を端末装置に送信する。
【０００３】
特許文献２には、ドットパターンに対向する電子ペンの角度に起因するドットの画像上の配列を補正する回転補正処理機能が記載されている。さらに、特許文献３には、授業の際には、予め用意されたシナリオに基づき、教材データをスクリーン上に表示する授業支援システムが記載されている。この授業支援システムでは、「次頁」と表示されたボタンが画面上で選択されることで、画面内に設けられた表示領域全体が予め用意されたシナリオ通りに遷移する。
【先行技術文献】
【特許文献】
【０００４】
【特許文献１】特許第３８７２４９８号公報
【特許文献２】特表２００３−５２９８５３号公報
【特許文献３】特開２００２−０７２８５０号公報
【発明の概要】
【発明が解決しようとする課題】
【０００５】
授業中などで、開いている教材の所定エリアにその内容に関連する動画などのコンテンツを予め関連付けておき、授業の際には、関連付けた教材のエリアを講師が電子ペンによりタップすることで、関連付けたコンテンツを再生して受講者に視聴させることができると便宜である。一方、教材の各頁又は見開き頁ごとに複数のコンテンツが関連付けられている場合には、講師は、授業中でのコンテンツの再生順番を間違えてしまう可能性がある。従って、この場合には、これらの複数のコンテンツを再生又は表示する順番を予め設定することができると便宜である。そこで、本発明は、教材に関連付けられたコンテンツを再生又は表示する順番を適切に設定することが可能な電子ペンシステム及びプログラムを提供する。
【課題を解決するための手段】
【０００６】
本発明に係る電子ペンシステムは、コード化パターンが印刷された教材と、コンピュータ装置と、コード化パターンを読み取ってペン先部の位置座標またはコード値を演算し、当該位置座標またはコード値を含む記入情報を前記コンピュータ装置に送信する電子ペンと、を備える電子ペンシステムにおいて、前記コンピュータ装置は、コンテンツと関連付けられた前記教材の関連付けエリアの情報を記憶する記憶手段と、前記電子ペンから受信した記入情報に基づき、前記関連付けエリアが複数設けられた前記教材の頁又は見開き頁における当該関連付けエリアに関連付けられた前記コンテンツの再生又は表示の順番を設定する再生順番設定手段と、を有する。
【０００７】
上記の電子ペンシステムは、コード化パターンが印刷された教材と、コンピュータ装置と、電子ペンとを有する。コンピュータ装置は、コンテンツと関連付けられた教材の関連付けエリアの情報を記憶する。また、コンピュータ装置は、電子ペンから受信した記入情報に基づき、関連付けエリアが複数設けられた教材の頁又は見開き頁における当該関連付けエリアに関連付けられたコンテンツの再生又は表示の順番を設定する。このように、電子ペンシステムは、教材の各頁又は見開き頁のうち、関連付けエリアを複数有する頁又は見開き頁に関連付けられたコンテンツの再生順番を、電子ペンの記入情報に基づき定める。これにより、授業などにおいて、ユーザは、再生すべきコンテンツの順番を間違えることなく想定した順番通りにコンテンツの再生又は表示を行うことができる。
【０００８】
上記電子ペンシステムの一態様では、前記再生順番設定手段は、前記記入情報に基づき、前記関連付けエリアが前記電子ペンにより選択された選択順を認識し、当該選択順に基づき、前記再生又は表示の順番を定める。この態様により、ユーザは、関連付けエリアを電子ペンにより順に選択することで、同一頁又は同一見開き頁に関連付けられたコンテンツの再生又は表示の順番を定めることができる。
【０００９】
上記電子ペンシステムの他の一態様では、前記教材又はコード化パターンが印刷された用紙には、前記再生又は表示の順番を定める処理を開始するための順番設定用アイコンが設けられ、前記再生順番設定手段は、前記順番設定用アイコンが前記電子ペンにより選択された後に前記関連付けエリアが前記電子ペンにより選択された前記選択順を認識する。この態様により、電子ペンシステムは、同一頁又は同一見開き頁に関連付けられたコンテンツの再生又は表示の順番を、ユーザの任意のタイミングで定めることができる。
【００１０】
上記電子ペンシステムの他の一態様では、前記教材又はコード化パターンが印刷された用紙には、前記再生順番設定手段が設定した前記再生又は表示の順番に基づき前記コンテンツを再生又は表示させるための再生用アイコンが設けられ、前記コンピュータ装置は、前記再生用アイコンが前記電子ペンにより選択されたことを検知する度に、再生又は表示すべき順番にあたる前記コンテンツの再生又は表示を行う再生制御手段をさらに有する。この態様により、ユーザは、再生用アイコンを電子ペンで選択する操作を行うだけで、順番を設定したコンテンツを、順にコンピュータ装置に再生又は表示させることができる。
【００１１】
上記電子ペンシステムの他の一態様では、前記コンピュータ装置は、前記教材を電子化した電子教材を表示手段に表示させる表示制御手段を有し、前記表示制御手段は、前記再生又は表示の順番が設定されたコンテンツに対応する前記電子教材の前記関連付けエリアを前記表示手段に表示させる場合、当該関連付けエリアと対応させて前記コンテンツの前記再生又は表示の順番の表示を付す。このようにすることで、コンピュータ装置は、ディスプレイ上に電子教材を表示した場合に、設定された再生又は表示の順番を容易に視認させることが可能となる。
【００１２】
上記電子ペンシステムの他の一態様では、前記コンピュータ装置は、前記教材を電子化した電子教材を表示手段に表示させる表示制御手段を有し、前記表示制御手段は、前記電子教材の前記関連付けエリアを前記表示手段に表示させる場合、当該関連付けエリアを対応するコンテンツの種類ごとに色分けして前記表示手段に表示させる。このようにすることで、電子ペンシステムは、関連付けエリアに関連付けられているコンテンツの種類を、ユーザに容易に認識させることができる。
【００１３】
上記電子ペンシステムの他の一態様では、前記コンピュータ装置は、前記教材を電子化した電子教材を表示手段に表示させると共に、前記記入情報に基づき、前記電子ペンにより前記教材に記入された筆跡に基づくストロークを前記電子教材に描画する表示制御手段を備え、前記表示制御手段は、前記コンテンツが再生中又は表示中であっても、前記記入情報に基づき、前記電子ペンにより前記教材に記入された筆跡に基づくストロークを前記電子教材に描画する。このようにすることで、電子ペンシステムは、コンテンツの再生時等であっても、電子ペンによる電子教材上への書込みを実行させることができ、利便性を向上させることができる。
【００１４】
上記電子ペンシステムの他の一態様では、コード化パターンが表面に付されたスクリーンと、前記コンピュータ装置から送信される画像信号に基づく光を前記スクリーンの表面に出射するプロジェクタと、をさらに備え、前記コンピュータ装置は、前記再生順番設定手段が設定した前記再生又は表示の順番に基づき前記コンテンツを再生又は表示させるための再生用アイコンを、前記プロジェクタにより前記スクリーンに投影表示させる表示制御手段と、投影表示された前記再生用アイコンが選択された場合、再生又は表示すべき順番にあたる前記コンテンツの再生又は表示を行う再生制御手段をさらに有する。この態様によれば、ユーザは、プロジェクタによってスクリーンに投影された再生用アイコンを電子ペンでタップすることで、予め再生順番を設定したコンテンツを順番通りに再生又は表示させることができる。
【００１５】
上記電子ペンシステムの他の一態様では、前記教材は、頁又は見開き頁ごとに、当該教材の内容を表示する内容表示領域と、前記電子ペンにより選択された場合に、所定の機能を実現するアイコンが複数設けられた操作領域とを備える。この態様により、ユーザは、教材上で電子ペンによる種々の操作を行うことができ、利便性が向上する。
【００１６】
本発明に係るプログラムは、上記記載のいずれか一つのコンピュータ装置として機能させる。これらのプログラムをコンピュータ装置にインストールして機能させることで、本発明に係るコンピュータ装置を構成させることができる。
【発明の効果】
【００１７】
本発明によれば、電子ペンシステムは、コンテンツに関連付けられたエリアを複数有する頁又は見開き頁内でのコンテンツの再生順番を、電子ペンの記入情報に基づき定める。これにより、授業などにおいて、ユーザは、再生すべきコンテンツの順番を間違えることなく想定した順番通りにコンテンツの再生又は表示を行うことができる。
【図面の簡単な説明】
【００１８】
【図１】本実施形態に係る電子ペンシステムの構成を示す。
【図２】開いた状態での教科書の上面図である。
【図３】電子教科書の表示例である。
【図４】ドットパターンのドットとそのドットが変換される値との関係を示す。
【図５】（ａ）は、ドットパターンを模式的に示し、（ｂ）は、それに対応する情報の例を示す図である。
【図６】電子ペンの構造を示す概略図である。
【図７】コンピュータ装置の機能ブロック図である。
【図８】関連付けエリア情報のデータ構造を示す。
【図９】再生順番の設定に伴う教科書上での電子ペンの位置変化を示す。
【図１０】再生順番が設定された見開き頁が表示されたコンピュータ装置のディスプレイ画面を示す。
【図１１】見開き頁上で電子ペンによる再生操作が行われる様子を示す。
【図１２】ファイル「ワークシート１．ｐｄｆ」の表示例を示す。
【図１３】教科書の操作領域に相当する操作用紙の上面図を示す。
【図１４】変形例に係る教科書の上面図を示す。
【発明を実施するための形態】
【００１９】
以下、図面を参照しながら、本発明を実施するのに好適な実施形態について説明する。以下に説明する電子ペンシステムは、学校の授業などに好適に用いられ、教科書（教材）の任意の範囲と動画などのコンテンツとが関連付けられており、同一の見開き頁内に関連付けられたコンテンツの再生順番を予め設定可能なシステムである。なお、「見開き頁」とは、教科書を開いた場合に上下又は左右に並ぶ頁の組を指す。
【００２０】
［電子ペンシステムの構成］
図１は、本実施形態に係る電子ペンシステムの構成を示す。図１に示すように、電子ペンシステムは、講師が使用する電子ペン１と、各頁の略全面にドットパターン（コード化パターン）が印刷された教科書（教材）２と、電子ペン１から記入情報等を受信して処理するコンピュータ装置３と、コンピュータ装置３と接続され、そのディスプレイの表示画面と同じ画像をドットスクリーン５に投影するプロジェクタ４と、ドットパターンが印刷されたドットスクリーン５とを備える。以下、これらの各構成要素について説明する。
【００２１】
（教科書）
まず、教科書（電子ペン用図書）２について説明する。図２は、ある頁（第２２、２３頁）を開いた状態での教科書２の上面図を示す。図２に示すように、教科書２の各見開き頁は、教科書２の内容が記載された内容表示領域２０と、電子ペン１による操作対象となる各アイコン４１乃至６１が印刷された操作領域４０とを有する。そして、内容表示領域２０と、各アイコン４１乃至６１を含む領域には、後述する位置座標を示すドットパターン（コード化パターン）が印刷される。また、教科書２の各頁には、それぞれ異なる座標範囲のドットパターンが印刷される。ドットパターンは、電子ペン１により読み取ることができるように赤外線を吸収するカーボンを含んだインクにより印刷され、その他の文字や図などは、赤外線を吸収しないインキにより印刷される。
【００２２】
内容表示領域２０は、動画、画像、ＰＤＦ（登録商標）、音声データなどのコンテンツと関連付けられている領域（「関連付けエリア」とも呼ぶ。）２１及び２２を有する。関連付けエリア２１、２２が電子ペン１によりタップされた場合、当該領域に関連付けられたコンテンツ（「関連付けコンテンツ」とも呼ぶ。）がコンピュータ装置３により再生ないし表示される。
【００２３】
次に、各アイコン４１乃至６１に関連付けられた機能について説明する。アイコン４１は、後述する電子教科書２Ａの目次の頁をコンピュータ装置３のディスプレイに表示させるための操作領域である。アイコン４２は、コンピュータ装置３のディスプレイにコンテンツが再生又は表示されている場合に、当該コンテンツの前面に電子教科書２Ａを表示させるための操作領域である。アイコン４３は、コンピュータ装置３のディスプレイに表示されている電子教科書２Ａの見開き頁を、２頁分だけ前に戻すための操作領域である。アイコン４４は、コンピュータ装置３のディスプレイに表示されている電子教科書２Ａの見開き頁を、２頁分だけ進めるための操作領域である。
【００２４】
アイコン４５、４６は、電子ペン１による書込みモードに切り替えるための操作領域である。具体的には、アイコン４５は、教科書２上での電子ペン１の筆跡を再現した自由曲線のストロークを電子教科書２Ａ上に描画する書込みモードに切り替えるための操作領域である。アイコン４６は、教科書２上での電子ペン１の筆跡に基づく直線のストロークを電子教科書２Ａ上に描画する書込みモードに切り替えるための操作領域である。アイコン４７は、アイコン４５又は４６に対応する書込みモードにおいて描画されたストロークの色を赤色に指定するための操作領域であり、アイコン４８は、上述のストロークの色を青色に指定するための操作領域である。なお、後述するように、ユーザは、コンテンツの再生中においても、電子ペン１によりアイコン４５又は４６を選択し、電子ペン１の筆跡に基づくストロークを電子教科書２Ａ上に描画させることが可能である。
【００２５】
アイコン４９は、アイコン４５又は４６に対応する書込みモードにおいて描画されたストロークの表示及び非表示を切り替えるための操作領域である。アイコン５０は、電子教科書２Ａ上に描画されたストロークの表示位置を電子ペン１のドラッグ操作に基づき移動させるモードに切り替えるための操作領域である。アイコン５１は、電子ペン１のドラッグ操作により指定された領域を拡大表示するための操作領域である。アイコン５２は、電子ペン１がタップした位置に存在するストロークを消去するための操作領域である。アイコン５３は、当該アイコン５３が印刷されている見開き頁に描画されたストロークを全て消去するための操作領域である。アイコン５４は、停止中または一時停止中の動画の再生を開始するための操作領域である。アイコン５５は、再生中の動画の巻き戻しをするための操作領域である。アイコン５６は、再生中の動画を一時停止するための操作領域である。アイコン５７は、再生中の動画を早送りするための操作領域である。アイコン５８は、再生中の動画を停止するための操作領域である。
【００２６】
アイコン５９は、電子教科書２Ａ内の関連付けエリアを色付きで強調表示するための操作領域である。アイコン５９が選択された場合の表示例については、図３で説明する。順番設定用アイコン６０は、同一の見開き頁にある関連付けエリアに関連付けられたコンテンツの再生順番を設定するモード（「再生順番設定モード」とも呼ぶ。）の開始及び終了を指示するための操作領域である。再生順序設定モードについては、［再生順番の設定］のセクションで詳しく説明する。再生用アイコン６１は、設定された再生順番に従い、関連付けコンテンツを順に再生する指示を行う操作領域である。アイコン６１に関連付けられた機能については、［コンテンツの再生］のセクションで詳しく説明する。
【００２７】
（プロジェクタ）
プロジェクタ４は、ドットスクリーン５に対して鉛直上方向から斜め下向きに光を出射するプロジェクタであり、例えば教室の壁等に設置される。プロジェクタ４は、コンピュータ装置３から画像信号を受信し、コンピュータ装置３の画面と同じ画像を構成する光を所定の投影範囲５０に投影する。投影範囲５０には、後述するように、教科書２を電子化した電子教科書２Ａ（後述の図３参照）などが表示される。なお、プロジェクタ４は、ドットスクリーン５の正面へ向けて光を出射するフロントプロジェクタ、又は、ドットスクリーン５の背面へ向けて光を出射するリアプロジェクタであってもよい。
【００２８】
（ドットスクリーン）
ドットスクリーン５は、白地の樹脂基板に、電子ペン１により読み取ることができるよう赤外線を吸収するカーボンを含んだインクによりドットパターン（コード化パターン）が印刷され、さらにドットパターンが例えば透明なＥＢ硬化樹脂層などで保護された層構成を有している。
【００２９】
ドットスクリーン５の投影範囲５０には、コンピュータ装置３の画面と同じ画像を構成する光がプロジェクタ４により投影される。具体的には、投影範囲５０には、図２に示す教科書２が電子化された電子教科書２Ａが投影表示される。
【００３０】
図３は、ドットスクリーン５の投影範囲５０の表示例を示す。なお、上述したように、図３に示す表示は、コンピュータ装置３のディスプレイ画面の表示と同一である。コンピュータ装置３には、電子教科書２Ａを表示し操作するためのアプリケーションがインストールされている。図３に示すように、コンピュータ装置３のディスプレイ画面に表示されることでドットスクリーン５に投影表示された電子教科書２Ａは、教科書２の内容表示領域２０と同じ画像が投影表示された内容表示領域２０Ａと、教科書２のアイコン４１乃至６１と同じ画像が投影表示されたアイコン４１Ａ乃至６１Ａとを有する。また、内容表示領域２０Ａは、図２に示す関連付けエリア２１と同じ画像が投影表示された色付きの関連付けエリア２１Ａと、図２の関連付けエリア２２と同じ画像が投影表示された関連付けエリア２２Ａとを有する。そして、ユーザがアイコン４１Ａ乃至６１Ａを電子ペン１によりタップしてそのアイコンが投影された領域のドットパターンを読み取らせた場合、コンピュータ装置３は、電子ペン１から記入情報を受信して、タップしたアイコンに割当てられた機能に応じて、表示される電子教科書２Ａの頁を変更したり、電子ペン１による書込みモードを開始したりする。同様に、ユーザが関連付けエリア２１Ａ、２２Ａのいずれかを電子ペン１によりタップしてそのアイコンが投影された領域のドットパターンを読み取らせた場合、コンピュータ装置３は、電子ペン１から記入情報を受信して、タップした関連付けエリアに関連付けられたコンテンツを再生又は表示する。
【００３１】
また、電子教科書２Ａでは、対応する関連付けコンテンツの種類ごとに、各関連付けエリアが色分けして表示される。具体的には、図３において、拡張子が「ｐｄｆ」に設定されたＰＤＦファイルと関連付けられた関連付けエリア２１Ａは、青に着色された状態で表示されている。一方、拡張子が「ｍｐ４」などの動画ファイルと関連付けられた関連付けエリア２２Ａは、赤に着色された状態で表示される。このようにすることで、ユーザは、各関連付けエリアの位置及び範囲並びに当該関連付けエリアに関連付けられているコンテンツの種類を容易に把握することができる。なお、ユーザは、電子ペン１により、アイコン５９又はアイコン５９Ａをタップすることで、関連付けエリアを着色して強調表示した図３に示す状態と、関連付けエリアが着色されていない状態との切り替えを実行することが可能である。
【００３２】
また、投影範囲５０及びコンピュータ装置３のディスプレイ画面では、図３に示す電子教科書２Ａの表示に加え、電子教科書２Ａのうち、操作領域４０Ａを非表示にして内容表示領域２０Ａのみを全面に表示させることが可能である。具体的には、コンピュータ装置３は、ユーザの操作に基づき所定の入力を検知した場合に、図２に示す電子教科書２Ａの表示と、内容表示領域２０Ａのみの表示とを切り替える。
【００３３】
（ドットパターン）
続いて、教科書２の各頁やドットスクリーン５に印刷されたアノト方式のドットパターン（コード化パターン）について図４及び図５を用いて説明する。図４は、ドットパターンのドットとそのドットが変換される値との関係を説明する図である。図４に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、教科書２の各頁やドットスクリーン５上の位置座標が決定されるよう構成されている。なお、教科書２の頁同士又は教科書２の各頁とドットスクリーン５とでは座標領域が重ならないようドットパターンが形成される。
【００３４】
図５（ａ）は、あるドットパターンの配列を示している。図５（ａ）に示すように、縦横約２ｍｍの範囲内に６×６個のドットが、教科書２の各頁やドットスクリーン５上のどの部分から６×６ドットを取ってもユニークなパターンとなるように配置されている。これら３６個のドットにより形成されるドットパターンは位置座標（例えば、そのドットパターンが教科書２の各頁やドットスクリーン５上のどの位置にあるのか）を保持している。図５（ｂ）は、図５（ａ）に示す各ドットを、格子の基準位置からのシフト方向によって、図４に示す規則性に基づいて対応づけられた値に変換したものである。この変換は、ドットパターンの画像を撮影する電子ペン１によって行われる。
【００３５】
（電子ペン）
次に、電子ペン１について図６を用いて説明する。図６は、電子ペン１の構造を示す概略図である。図６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３を教科書２の各頁やドットスクリーン５上に当接させて、ストローク（手書きストローク）を記入する。ここで、電子ペン１のペン先部１０３が教科書２の各頁等に最初に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００３６】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により教科書２の各頁等に文字やマークを書いたりタップしたりする際にペン先部１０３からインクカートリッジ１０４を通じて与えられる圧力、即ち筆圧を検出し、その値をプロセッサ１０８へ伝送する。
【００３７】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で教科書２の各頁等に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報（以後、「ペンダウン情報ＰＤ」と呼ぶ。）と、後述する電子ペン１の識別情報（以後、「ペンＩＤ」と呼ぶ。）とを関連付けて、記入情報としてコンピュータ装置３へ送信する。また、ユーザが１つのストロークを記入し終えて電子ペン１を教科書２の各頁から離すと、圧力センサ１０７は、所定値以上の筆圧が検出されなくなることでペンアップを検出する。すると、通信ユニット１１１が、圧力センサ１０７により検出されたペンアップ情報（以後、「ペンアップ情報ＰＵ」と呼ぶ。）とペンＩＤとを関連付けて、記入情報としてコンピュータ装置３へ送信する。
【００３８】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、教科書２の各頁上のペン先部１０３近傍に向けて赤外線を照明する。その領域は、ペン先部１０３が教科書２の各頁に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、教科書２の各頁に文字や図面などが印刷されていた場合でも、印刷したインクは赤外域に吸収性を持たないため、プロセッサ１０８は、ドットパターンを認識することができる。なお、ＣＭＯＳカメラ１０６による撮影領域は、図５（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３９】
プロセッサ１０８は、ユーザの記入が行われる間、ＣＭＯＳカメラ１０６によって供給される画像データのドットパターンから、ユーザが記入するストローク（筆跡）の教科書２の各頁等におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図５（ａ）に示されるようなドットパターンの画像データを図５（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際にその機能が実行される。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、教科書２の各頁やドットスクリーン５における６×６のドットパターンは、教科書２の各頁及びドットスクリーン５内で重複することはないため、ユーザが電子ペン１で文字等を記入すると、記入された位置が教科書２の各頁又はドットスクリーン５のどの位置に当たるかを、プロセッサ１０８による座標演算により特定することができる。
【００４０】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置３へ送信する。この場合の通信ユニット１１１によるコンピュータ装置３への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置３に送信された１個又は複数個の座標属性情報は、コンピュータ装置３によりストローク情報として記憶される。換言すると、１つのストロークは、１個又は複数個のＸ、Ｙ座標（座標点）からなり、コンピュータ装置３は、ペンダウン情報ＰＤ及びペンアップ情報ＰＵによって、１つのストロークを構成する１個又は複数個の座標属性情報を認識する。
【００４１】
なお、電子ペン１は、インクカートリッジ１０４に代えて、インキが充填されていないペン部を備えてもよい。この場合、ペン先部１０３からインキが出力されない。また、教科書２とドットスクリーン５とのそれぞれに対して電子ペン１が用意される場合には、教科書２に対してはインクカートリッジ１０４を有する電子ペン１が用意され、ドットスクリーン５に対してはペン部を有する電子ペン１が用意されてもよい。
【００４２】
（コンピュータ装置）
次に、コンピュータ装置３について説明する。コンピュータ装置３は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成される。なお、コンピュータ装置３は、ｉＰａｄ（登録商標）などのタブレットＰＣやＰＤＡ（Ｐｅｒｓｏｎａｌ  Ｄａｔａ  Ａｓｓｉｓｔａｎｃｅ）、またはディスプレイを備えるＰＣ（パーソナルコンピュータ）等で構成されてもよい。
【００４３】
図７は、コンピュータ装置３の機能ブロック図である。コンピュータ装置３は、機能的には、マウスやキーボードといった入力手段３１、通信手段３２、記憶手段３３、処理手段３４、表示手段３６、インターフェース３８を備える。通信手段３２は、アンテナ受信回路等により構成され、電子ペン１から記入情報を受信し、受信した情報を処理手段３４に伝送する。表示手段３６は、ディスプレイ等によって構成され、処理手段３４によって指示された内容を表示する。インターフェース３８は、プロジェクタ４と接続するためのインターフェースである。インターフェース３８は、処理手段３４の処理命令に基づき、表示手段３６に画像を表示するための画像信号をプロジェクタ４に送信し、表示手段３６の画像と同じ画像を同期して投影させる。
【００４４】
処理手段３４は、ＣＰＵ等のプロセッサによって構成され、コンピュータ装置３の全体の制御を行う。処理手段３４は、表示制御手段３４１と、再生順番設定手段３４２と、再生制御手段３４３とを備える。そして、処理手段３４は、教科書２に印刷されたアイコン４１乃至６１が電子ペン１によりタップされてドットパターンが読み取られた場合、電子ペン１により生成され送信されてきた記入情報に基づき、後述する座標定義情報を参照し、タップされたアイコンを認識する。そして、処理手段３４は、タップされたアイコンに関連付けられた機能に応じて所定の処理を行う。
【００４５】
具体的には、電子ペン１によりタップされたアイコンがアイコン４１乃至４４の場合、処理手段３４の表示制御手段３４１は、タップされたアイコンに関連付けられた機能に従い、電子教科書２Ａの所定の頁を見開き状態で表示手段３６に表示させる。
【００４６】
また、電子ペン１によりタップされたアイコンがアイコン４５または４６の場合、表示制御手段３４１は、書込みモードを開始する。具体的には、表示制御手段３４１は、書込みモード時に受信した記入情報が示す位置座標に基づき、自由曲線又は直線のストロークを電子教科書２Ａ上に描画する。この場合、表示制御手段３４１は、コンテンツが再生中か否かに関わらず、ストロークを描画する。なお、書込みモードでは、表示制御手段３４１は、電子教科書２Ａと表示中のコンテンツとを並べて表示してもよく、コンテンツが動画の場合には、当該コンテンツに対応する関連付けエリア内でコンテンツを表示してもよい。また、コンテンツが音声データの場合には、スピーカ（不図示）に音声を出力させつつ、表示制御手段３４１は、音声データを再生するソフトウェアの表示を非表示として、電子教科書２Ａのみを表示してもよい。
【００４７】
電子ペン１によりタップされたアイコンがアイコン４７乃至５３の場合、表示制御手段３４１は、タップされたアイコンに関連付けられた機能に従い、所定の処理を実行する。また、再生制御手段３４３は、電子ペン１によりタップされたアイコンがアイコン５４乃至５８の場合、タップされたアイコンに関連付けられた機能に従い、再生対象の動画コンテンツの再生制御を行う。また、電子ペン１によりタップされたアイコンがアイコン５９の場合、表示制御手段３４１は、図３において説明したように、関連付けられたコンテンツの種類に応じて、関連付けエリアを色分けして表示する。
【００４８】
電子ペン１によりタップされたアイコンがアイコン６０の場合、処理手段３４は、再生順番設定モードを開始する。再生順番設定モードでは、処理手段３４の再生順番設定手段３４２は、同一の見開き頁にある関連付けエリアに関連付けられたコンテンツの再生順番を決定する。この処理については、［再生順番の設定］のセクションで具体的に説明する。電子ペン１によりタップされたアイコンがアイコン６１の場合、再生制御手段３４３は、設定された再生順番に従い、次に再生すべき関連付けコンテンツを再生する。この処理については、［コンテンツ再生］のセクションで具体的に説明する。また、処理手段３４は、教科書２の関連付けエリアが電子ペン１によりタップされた場合、後述する関連付けエリア情報を参照し、タップされた関連付けエリアに関連付けられたコンテンツを再生又は表示する。
【００４９】
また、処理手段３４は、キャリブレーション用マークを少なくとも２以上、表示手段３６に表示させることにより、プロジェクタ４に対し、ドットスクリーン５にもキャリブレーション用マークを投影させ、キャリブレーション用マークが投影された位置のドットパターンを電子ペン１に読み取らせて記入情報を受信することで、ドットスクリーン５のドットパターンにかかる座標系を表示手段３６のディスプレイにかかる座標系に変換するための座標変換関数を求める（キャリブレーション処理機能）。さらに、処理手段３４は、そのキャリブレーション処理により求められた座標変換関数を用いて、ドットスクリーン５のドットパターンにかかる座標系のデータを受信したときに、表示手段３６のディスプレイにかかる座標系のデータに変換する。そして、処理手段３４は、変換後のディスプレイにかかる座標系のデータに基づき、ドットスクリーン５に表示されたアイコン４１Ａ乃至６１Ａが選択されたことを認識した場合、教科書２のアイコン４１乃至６１が選択された場合と同様の処理を実行する。また、処理手段３４は、変換後のディスプレイにかかる座標系のデータに基づき、ドットスクリーン５に表示された関連付けエリアが選択されたことを認識した場合、後述する関連付けエリア情報を参照し、選択された関連付けエリアに関連付けられたコンテンツを再生又は表示する。
【００５０】
記憶手段３３は、ＲＯＭやＲＡＭといったメモリによって構成される。記憶手段３３は、処理手段３４の処理命令により、電子ペン１から受信した記入情報をペンＩＤ毎に記憶する。また、記憶手段３３は、各教科書２を電子化した電子教科書２Ａを記憶する。また、記憶手段３３は、教科書２の種類ごとに当該教科書２の各頁の内容表示領域２０及びアイコン４１乃至６１に対応するドットパターンが示す座標範囲、及びドットスクリーン５に対応するドットパターンが示す座標範囲の情報（「座標定義情報」とも呼ぶ。）を記憶する。
【００５１】
さらに、記憶手段３３は、各関連付けエリアに関連付けられるコンテンツを記憶すると共に、各関連付けエリアに関連する情報（「関連付けエリア情報」とも呼ぶ。）を記憶する。図８は、関連付けエリア情報のデータ構造を示す。図８に示すように、関連付けエリア情報には、各関連付けエリアの識別番号を示す「エリア番号」の項目と、教科書２の識別情報を示す「教科書ＩＤ」の項目と、関連付けエリアの頁番号を示す「頁番号」の項目と、頁内における相対的な位置を示す「頁内位置」の項目と、関連付けコンテンツのパス及びファイル名を示す「関連付けコンテンツ」の項目と、同一の見開き頁内における関連付けコンテンツの再生順番を示す「再生順番」の項目とに対応する情報がそれぞれ関連付けられている。なお、ここでは、図２に示す教科書２の教科書ＩＤは「Ｒ０１」であるものとし、頁内位置は、角の位置座標（Ｘｎ，Ｙｎ）、高さ（Ｙ方向）、幅（Ｘ方向）で規定されている。また、「再生順番」の項目の値は、後述する［再生順番の設定］のセクションで述べる処理に基づき設定される。
【００５２】
なお、再生順番以外の関連付けエリア情報は、予め記憶手段３３に記憶されていてもよく、ユーザの入力に基づき処理手段３４が生成してもよい。後者の場合、例えば、処理手段３４は、電子教科書２Ａを表示した状態で、関連付けエリアとする領域をマウスによるドラッグ操作などによりユーザに指定させると共に、当該関連付けエリアに関連付けるコンテンツをファイル選択用のＧＵＩ（Ｇｒａｐｈｉｃａｌ  Ｕｓｅｒ  Ｉｎｔｅｒｆａｃｅ）などを表示することでユーザに指定させる。関連付けコンテンツは、講師が授業用に自らビデオカメラ等の撮影手段を用いて撮影を行った結果生成された映像データなどであってもよく、静止画像データであってもよく、ワークシートなどであってもよい。
【００５３】
［再生順番の設定］
次に、同一の見開き頁内に複数の関連付けエリアが存在する場合の関連付けコンテンツの再生順番の設定方法について具体的に説明する。概略的には、再生順番設定手段３４２は、再生順番設定モード時において、電子ペン１によりタップされた関連付けエリアの順番に基づき、関連付けコンテンツの再生順番を定める。
【００５４】
図９は、教科書２上での電子ペン１の再生順番の設定に伴う位置変化を示す図である。まず、ユーザの操作に基づき、アイコン６０が電子ペン１によりタップされる（第１ステップ）。この場合、処理手段３４は、受信した記入情報に基づき、アイコン６０がタップされたことを認識し、再生順番設定モードを開始する。以降は、ユーザの意思により、同一の見開き頁内に存在する複数の関連付けエリアを、関連付けられたコンテンツを再生したい順番で、ユーザが電子ペン１によりタップする。
【００５５】
図９に示す例では、ユーザの操作に基づき関連付けエリア２１が電子ペン１によりタップされる（第２ステップ）。この場合、処理手段３４の再生順番設定手段３４２は、受信した記入情報に基づき、関連付けエリア２１が電子ペン１によりタップされたことを認識する。そして、再生順番設定手段３４２は、見開き頁（ここでは２２、２３頁）に関連した関連付けコンテンツのうち、関連付けエリア２１に関連付けられたコンテンツの再生順番を１番に設定する。
【００５６】
その後、ユーザの操作に基づき関連付けエリア２２が電子ペン１によりタップされる（第３ステップ）。この場合、処理手段３４の再生順番設定手段３４２は、受信した記入情報に基づき、関連付けエリア２２が電子ペン１によりタップされたことを認識する。そして、再生順番設定手段３４２は、見開き頁に関連した関連付けコンテンツのうち、関連付けエリア２２に関連付けられた関連付けコンテンツの再生順番を２番に設定する。
【００５７】
次に、ユーザの操作に基づき、アイコン６０が電子ペン１により再びタップされる（第４ステップ）。この場合、再生順番設定手段３４２は、受信した記入情報に基づき、アイコン６０がタップされたことを認識し、再生順番設定モードを終了する。これにより、再生順番設定手段３４２は、電子ペン１による操作が行われた見開き頁における再生順番を確定する。具体的には、再生順番設定手段３４２は、前述した図８に示すように、関連付けエリア２１に関連付けられたコンテンツである「ワークシート１．ｐｄｆ」の再生順番が１番である旨を関連付けエリア情報に記憶し、関連付けエリア２２に関連付けられたコンテンツである「断層○○町．ｍｐ４」の再生順番が２番である旨を関連付けエリア情報に記憶する。
【００５８】
このように、再生順番設定手段３４２は、複数の関連付けエリアがある任意の見開き頁において、関連付けコンテンツの再生順番を、ユーザに複雑な操作を要求することなく、ユーザの意図してタップした順番に即して定めることができる。
【００５９】
［再生順番設定後の表示］
次に、再生順番が設定された後のコンピュータ装置３のディスプレイ画面について図１０を参照して説明する。図１０は、再生順番が設定された見開き頁が表示されたコンピュータ装置３のディスプレイ画面を示す。
【００６０】
図１０に示すように、表示制御手段３４１は、再生順番が設定された見開き頁を表示する場合、再生順番が定められた関連付けエリア２１Ａ、２２Ａ上に、対応する関連付けコンテンツの再生順番の番号を重畳表示する。図１０に示す例では、再生順番が１番に設定された関連付けエリア２１Ａには、「（１）」の表示が付され、再生順番が２番に設定された関連付けエリア２２Ａには、「（２）」の表示が付されている。
【００６１】
このように、表示制御手段３４１は、再生順番が設定された見開き頁をコンピュータ装置３のディスプレイに表示させる場合、設定された再生順番をユーザが視認できるように、設定された再生順番を示す表示を、対応する関連付けエリアに付す。これにより、ユーザは、設定した再生順番を、コンピュータ装置３のディスプレイ上又はドットスクリーン５上で容易に把握することができる。なお、表示制御手段３４１は、アイコン５９又は５９Ａが電子ペン１によりタップされた場合、色による強調表示と同様、再生順番の表示の有無を切り替えてもよい。
【００６２】
［コンテンツの再生］
次に、再生順番が設定されたコンテンツの再生方法について説明する。概略的には、再生制御手段３４３は、アイコン６１がタップされる毎に、再生すべき再生順番にある関連コンテンツの再生を開始する。
【００６３】
図１１は、再生順番が設定された見開き頁上で電子ペン１による操作が行われていることを示す図である。なお、好適には、図１１に示す再生時には、コンピュータ装置３のディスプレイ画面及びドットスクリーン５の投影範囲５０には、電子教科書２Ａの内容表示領域２０のみが表示される。
【００６４】
図１１において、まず、ユーザの操作に基づき、アイコン６１が電子ペン１によりタップされる。この場合、処理手段３４の再生制御手段３４３は、受信した記入情報に基づき、アイコン６１がタップされたことを認識する。そして、この場合、再生制御手段３４３は、図８に示す関連付けエリア情報を参照し、当該見開き頁（２２、２３頁）において、再生順番が１番に設定された関連付けコンテンツを再生又は表示する。具体的には、再生制御手段３４３は、関連付けエリア２１に関連付けられた「ワークシート１．ｐｄｆ」をディスプレイ画面上に表示する。また、この場合、ドットスクリーン５の投影範囲５０にも同様に、「ワークシート１．ｐｄｆ」が投影表示される。
【００６５】
図１２は、ファイル「ワークシート１．ｐｄｆ」の表示例を示す。図１２に示すように、ファイル「ワークシート１．ｐｄｆ」は、解答欄７０Ａ〜７０Ｅを有する。そして、ドットスクリーン５に表示された「ワークシート１．ｐｄｆ」の解答欄７０Ａ〜７０Ｅへ生徒等が電子ペン１により書込みを行った場合、処理手段３４は、記入情報に含まれる座標情報を、座標変換関数に基づき表示手段３６の画面上での座標情報に変換し、当該座標情報に基づきストロークを表示手段３６に描画する。また、処理手段３４は、表示手段３６に画像を表示させるための画像信号をプロジェクタ４に送信し、表示手段３６の画像と同じ画像を同期して投影させる。これにより、ドットスクリーン５にも同様に、電子ペン１の記入者が描いたストロークが投影される。
【００６６】
再び図１１を参照して関連付けコンテンツの再生について説明する。ファイル「ワークシート１．ｐｄｆ」がディスプレイ上に表示された後、アイコン６１が電子ペン１により再びタップされる。この場合、処理手段３４の再生制御手段３４３は、受信した記入情報に基づき、アイコン６１がタップされたことを認識する。そして、この場合、再生制御手段３４３は、図８に示す関連付けエリア情報を参照し、当該見開き頁（２２、２３頁）において、再生順番が２番に設定された関連付けコンテンツを再生又は表示する。具体的には、再生制御手段３４３は、関連付けエリア２２に関連付けられた動画コンテンツ「断層○○町．ｍｐ４」を再生する。また、この場合、ドットスクリーン５の投影範囲５０にも同様に、動画コンテンツ「断層○○町．ｍｐ４」が投影表示される。なお、再生制御手段３４３は、動画コンテンツ「断層○○町．ｍｐ４」を再生する場合に、コンテンツ「ワークシート１．ｐｄｆ」を強制的に終了させてもよく、動画コンテンツ「断層○○町．ｍｐ４」の背面に表示位置を遷移させる処理のみを行ってもよい。
【００６７】
このように、再生制御手段３４３は、ユーザである講師が予定していた授業の流れに沿って、授業中、再生順番に間違いを生じさせることなく、コンテンツを適切に再生することができる。
【００６８】
なお、ドットスクリーン５の投影範囲５０に操作領域４０Ａが表示され、かつ、電子ペン１によりアイコン６１Ａがタップされた場合も、同様に、コンピュータ装置３は、設定された再生順番に従い関連付けコンテンツを再生する。具体的には、投影範囲５０内におけるアイコン６１Ａの表示位置が電子ペン１によりタップされた場合、再生制御手段３４３は、受信した記入情報の座標情報を座標変換関数により表示手段３６のディスプレイにかかる座標系に変換し、変換後の位置座標に基づき、座標定義情報を参照し、アイコン６１Ａが指定されたことを認識する。そして、この場合、再生制御手段３４３は、関連付けエリア情報を参照し、現在ディスプレイ上に表示中の見開き頁を対象に、再生すべき再生順番にある関連付けコンテンツを再生する。
【００６９】
［本実施形態の電子ペンシステムによる作用効果］
本実施形態の電子ペンシステムによれば、コンピュータ装置３は、コンテンツが関連付けられた教科書２の関連付けエリアに関する関連付けエリア情報を記憶する。そして、コンピュータ装置３は、電子ペン１から受信した記入情報に基づき、関連付けエリアが複数設けられた教科書２の見開き頁において、関連付けエリアに関連付けられたコンテンツの再生又は表示の順番を設定する。これにより、授業などにおいて、ユーザは、再生すべきコンテンツの順番を間違えることなく想定した順番通りにコンテンツの再生又は表示を行うことができる。
【００７０】
また、教科書２の操作領域４０には、再生順番設定モードの開始及び終了を指定するためのアイコン６０が設けられ、コンピュータ装置３は、再生順番設定モード時に、電子ペンにより選択された関連付けエリアの選択順に基づき、関連付けコンテンツの再生又は表示の順番を設定する。これにより、ユーザは、同一頁又は同一見開き頁に関連付けられたコンテンツの再生又は表示の順番を、電子ペンを操作することで容易に定めることができる。
【００７１】
また、教科書２の操作領域４０には、設定された再生順番に基づきコンテンツを再生又は表示するためのアイコン６１が設けられ、コンピュータ装置３は、アイコン６１が電子ペン１により選択されたことを検知する度に、再生又は表示すべき順番にあたるコンテンツの再生又は表示を行う。これにより、ユーザは、アイコン６１を電子ペン１で選択する操作を行うだけで、順番を設定したコンテンツを、順番通りにコンピュータ装置３に再生又は表示させることができる。
【００７２】
［変形例］
次に、本実施形態の変形例について説明する。以下の変形例は、任意に組み合わせて上述の実施形態に適用してもよい。
【００７３】
（変形例１）
電子ペンシステムは、ドットスクリーン５に代えて、圧力を検知することが可能に構成された感圧式ボード（シート）又はボード表面の直下にワイヤが埋め込まれた電磁式ボードなどの電子ボードを備えてもよい。例えば、感圧式ボードの場合、所定のペン（スタイラス）で圧力を加えるとボード中に設けられた電気伝導性の２枚のシートが接触して電気信号が発生し、当該電気信号に基づき、コンピュータ装置３は、接触位置を検出する。また、電磁式ボードの場合、電子ペンシステムは、電子ペン１に代えてコイルを埋め込んだスタイラスを備え、スタイラスを電磁式ボードに接触させると、電磁式ボードは、スタイラスとの電磁誘導に基づき接触位置に相当する電気信号を発生し、当該電気信号に基づき、コンピュータ装置３は、接触位置を検出する。
【００７４】
そして、いずれの入力方式のボード（シート）を用いる場合であっても、コンピュータ装置３は、ドットスクリーン５と同様の方法により、ボードにかかる座標系を表示手段３６のディスプレイにかかる座標系に変換するための座標変換関数を予め求める。そして、コンピュータ装置３は、求められた座標変換関数を用いて、ボード上の接触位置に相当する座標データを受信した場合に、表示手段３６のディスプレイにかかる座標系のデータに変換し、表示された電子教科書２Ａ内のいずれのアイコン４１Ａ乃至６１Ａが選択されたか等を検知する。
【００７５】
（変形例２）
図８に示す関連付けエリア情報では、「関連付けコンテンツ」の項目には、関連付けコンテンツを特定するための情報として、当該関連付けコンテンツのパス及びファイル名が記憶されていた。これに代えて、「関連付けコンテンツ」の項目には、電子コンテンツを閲覧可能な動画サイトを開くためのＵＲＬ（Ｕｎｉｆｏｒｍ  Ｒｅｓｏｕｒｃｅ  Ｌｏｃａｔｏｒ）や、コンピュータ装置３とネットワークを介して通信可能なサーバ装置が記憶した映像等の再生を行うためのＵＲＬが記憶されていてもよい。
【００７６】
この場合、再生制御手段３４３は、再生すべき再生順番にある関連付けコンテンツが関連付けエリア情報中でＵＲＬにより特定されていた場合には、当該ＵＲＬに基づき、所定のＷＥＢサイトを表示したり、サーバ装置と接続してストリーミング再生等を開始したりする。この場合、ＵＲＬに基づき表示されるＷＥＢサイト及び映像等は、本発明における「コンテンツ」の一例である。
【００７７】
（変形例３）
図３に示す電子教科書２Ａでは、関連付けエリア２１Ａ、２２Ａが色付きで強調表示されていた。これに代えて、又は、これに加えて、表示制御手段３４１は、関連付けエリア２１Ａ、２２Ａと対応する位置に、関連付けられたコンテンツのファイル名又は／及び当該コンテンツを小さく表示した画像又は映像を表示させてもよい。例えば、表示制御手段３４１は、関連付けエリア２１Ａ、２２Ａを同一の色で着色すると共に、これらのエリアと重なる位置又は近接する位置に関連付けコンテンツのファイル名を表示させる。
【００７８】
これによっても、表示制御手段３４１は、各関連付けエリア２１Ａ、２２Ａに関連付けられたコンテンツの種類又はファイル名をユーザに認識させることができる。
【００７９】
（変形例４）
図２等の説明では、教科書２の各見開き頁には、異なる座標範囲を示すドットパターンが印刷された操作領域４０が設けられていた。しかし、本発明が適用可能な構成は、これに限定されない。
【００８０】
これに代えて、例えば、教科書２の操作領域４０には、各見開き頁で共通の座標範囲を示すドットパターンが印刷されてもよい。そして、処理手段３４は、任意のアイコン４１乃至６１が電子ペン１によりタップされた場合、記入情報に基づき、いずれのアイコンが指定されたか認識し、コンピュータ装置３のディスプレイ画面に表示中の電子教科書２Ａの見開き頁を対象に、選択されたアイコンに割当てられた機能に基づく処理を行う。
【００８１】
他の例では、操作領域４０は、教科書２とは別体となって構成されていてもよい。図１３は、教科書２の操作領域４０に相当する操作用紙８の上面図を示す。操作用紙８の略前面には、ドットパターンが印刷されている。そして、処理手段３４は、操作用紙８の任意のアイコン４１乃至６１が電子ペン１によりタップされた場合、記入情報に基づき、いずれのアイコンが指定されたか認識し、ディスプレイ画面に表示中の電子教科書２Ａの見開き頁を対象に、指定されたアイコンに割当てられた機能に基づく処理を行う。
【００８２】
（変形例５）
教科書２の作成時点において、関連付けエリアの位置及び範囲が既に定まっている場合、教科書２の関連付けエリアは、電子教科書２Ａの関連付けエリアと同様に着色がなされていてもよい。
【００８３】
図１４は、変形例に係る教科書２の上面図を示す。図１４では、教科書２の関連付けエリア２１は、青により着色された印刷がなされ、関連付けエリア２２は、赤により着色された印刷がなされている。このように、教科書２の関連付けエリア２１、２２が関連付けコンテンツの種類ごとに色分けされることで、ユーザは、再生順番設定モードにおいて、各関連付けエリアを電子ペン１でタップする操作が容易となり、利便性が向上する。
【００８４】
（変形例６）
コンピュータ装置３は、同一の見開き頁内における関連付けコンテンツの再生順番を設定する代わりに、１頁ごとの関連付けコンテンツの再生順番を設定してもよい。例えば、この場合、教科書２の頁ごとにアイコン６０及びアイコン６１が印刷される。そして、コンピュータ装置３は、アイコン６０が電子ペン１により選択された場合、当該アイコン６０が印刷された頁を対象に再生順番設定モードを開始し、アイコン６１が電子ペン１により選択された場合、当該アイコン６１が印刷された頁を対象に再生順番に従った再生を行う。
（変形例７）
上記実施形態において、電子ペン、ドットパターン（コード化パターン）、記入情報に、アノト方式を用いたが、アノト方式に限られなくともよい。また、ドットパターン（コード化パターン）も、位置座標を示すものに限られず、アイコンを識別するためのコード値や、関連付けエリアを識別するためのコード値を示すものであってもよい。
【符号の説明】
【００８５】
１…電子ペン
２…教科書
２Ａ…電子教科書
３…コンピュータ装置
４…プロジェクタ
５…ドットスクリーン
８…操作用紙
【図１】
2013182122.tif 000003
【図２】
2013182122.tif 000004
【図３】
2013182122.tif 000005
【図４】
2013182122.tif 000006
【図５】
2013182122.tif 000007
【図６】
2013182122.tif 000008
【図７】
2013182122.tif 000009
【図８】
2013182122.tif 000010
【図９】
2013182122.tif 000011
【図１０】
2013182122.tif 000012
【図１１】
2013182122.tif 000013
【図１２】
2013182122.tif 000014
【図１３】
2013182122.tif 000015
【図１４】
2013182122.tif 000016